(57)【要約】【課題】受信されたデジタル放送に含まれるコンテンツが付加情報をともなわない場合であっても、そのコンテンツの付加情報を確実に入手することによって入手された付加情報を用いたコンテンツの取得を確実に行うことができるとともに、当該付加情報を入手する際のユーザの操作性を向上させることができる「コンテンツ取得装置」を提供すること【解決手段】所定の大きさ以上の大きさに形成された表示部１２と、表示部１２に付加情報保存用入力画面２７を表示する付加情報保存用入力画面表示手段２６とを備え、付加情報保存手段１４，１５，１６は、付加情報保存用入力画面２７に入力された事項を付加情報として記憶手段１７に保存すること。【選択図】  図１
2010252230.tif 000002
【特許請求の範囲】
【請求項１】
コンテンツが含まれたデジタル放送を受信する受信手段と、
この受信手段によって受信された前記デジタル放送に含まれる前記コンテンツがこのコンテンツに関する所定の付加情報をともなう場合に、前記付加情報を記憶手段に保存する付加情報保存手段と、
前記コンテンツの配信サーバに接続可能とされ、前記配信サーバとの接続状態において、前記記憶手段に保存されている前記付加情報に基づいて、この付加情報に対応するコンテンツを前記配信サーバから取得可能とされたコンテンツ取得手段と
を備えたコンテンツ取得装置であって、
所定の大きさ以上の大きさに形成された表示部と、
この表示部に、手入力によって保存される前記付加情報に対応する所定の事項を手入力によって入力可能とされた付加情報保存用入力画面を表示する付加情報保存用入力画面表示手段と
を備え、
前記付加情報保存手段は、前記付加情報保存用入力画面表示手段によって表示された前記付加情報保存用入力画面に入力された前記事項を前記付加情報として前記記憶手段に保存すること
を特徴とするコンテンツ取得装置。
【請求項２】
前記付加情報保存用入力画面表示手段は、
前記受信手段によって受信された前記デジタル放送に含まれる前記コンテンツが前記付加情報をともなわない場合に、前記付加情報保存用入力画面を表示すること
を特徴とする請求項１に記載のコンテンツ取得装置。
【請求項３】
デジタル放送受信機と、このデジタル放送受信機に接続可能とされた携帯端末機と、この携帯端末機が接続可能とされた固定端末機とによって形成されてなり、
前記受信手段、前記表示部および前記付加情報保存用入力画面表示手段は、前記デジタル放送受信機に配設され、
前記記憶手段は、前記携帯端末機に配設され、
前記付加情報保存手段は、前記デジタル放送受信機および前記携帯端末機に配設され、
前記コンテンツ取得手段は、前記固定端末機に配設されていること
を特徴とする請求項１または請求項２に記載のコンテンツ取得装置。
【請求項４】
デジタル放送受信機と、このデジタル放送受信機に接続可能とされた携帯端末機とによって形成されてなり、
前記受信手段、前記表示部および前記付加情報保存用入力画面表示手段は、前記デジタル放送受信機に配設され、
前記記憶手段および前記コンテンツ取得手段は、前記携帯端末機に配設され、
前記付加情報保存手段は、前記デジタル放送受信機および前記携帯端末機に配設されていること
を特徴とする請求項１または請求項２に記載のコンテンツ取得装置。
【請求項５】
前記デジタル放送受信機は、車載器に配設されていること
を特徴とする請求項３または請求項４に記載のコンテンツ取得装置。
【請求項６】
前記デジタル放送受信機は、家庭用のデジタル放送受信機であること
を特徴とする請求項３または請求項４に記載のコンテンツ取得装置。
【発明の詳細な説明】
【技術分野】
【０００１】
本発明は、コンテンツ取得装置に係り、特に、予め保存されたコンテンツの付加情報を用いて付加情報に対応するコンテンツを取得するのに好適なコンテンツ取得装置に関する。
【背景技術】
【０００２】
従来から、HD Radio（Hybrid Digital Radio）（登録商標）のような文字放送をともなうラジオ放送において、楽曲（オーディオコンテンツ）とともに送信された楽曲の付加情報（楽曲の曲名やアーティスト名等の文字情報）を当該放送の受信信号から抽出し、抽出された付加情報を自動的に保存することが可能とされた携帯型オーディオ機器が採用されていた。
【０００３】
例えば、iPod（登録商標）やiPhone（登録商標）等は、このような楽曲の付加情報を保存する機能を有する携帯型オーディオ機器として知られている。なお、これらiPod（登録商標）およびiPhone（登録商標）においては、楽曲の付加情報を保存する処理は、付加情報としてのタグ情報を保存するTaggingと称されている。
【０００４】
この種の携帯型オーディオ機器においては、iTunes（登録商標）等のメディアプレーヤを介してiTunes Store（登録商標）等の音楽配信サイト（サーバ）に接続し、接続された音楽配信サイトにおいて、当該機器に予め保存されている楽曲の付加情報に対応する楽曲を購入することが可能であった。
【０００５】
ただし、この種の携帯型オーディオ装置においても、ラジオ放送で流れている楽曲そのものをラジオ放送の受信時に自動的に保存することはできなかった。
【０００６】
これまでにも、このようなラジオ放送に含まれる楽曲の付加情報を所定の形式で保存し、保存された当該付加情報を用いて音楽配信サイトから楽曲を取得するための先行技術としては、例えば、特許文献１に示すような技術が提案されている。
【先行技術文献】
【特許文献】
【０００７】
【特許文献１】米国公開特許２００８／０１８８２０９
【特許文献２】特開２００６−１３８９２２号公報
【発明の概要】
【発明が解決しようとする課題】
【０００８】
しかしながら、従来は、ラジオ放送によって流れている楽曲がその付加情報をともなうものでない場合には、付加情報を入手することができないため、そのような楽曲を付加情報を用いて音楽配信サイトから購入することができないといった問題が生じていた。
【０００９】
ここで、iPhoneのような携帯型オーディオ機器にはメモ機能が搭載されているため、このメモ機能を利用してユーザが手入力した文字を楽曲の付加情報として保存することも考えられるが、このような場合には、画面確認および画面操作が煩雑な携帯型オーディオ機器の小型の表示部に表示された小さな画面を用いた入力操作を強いられることになり、操作性が悪いといった不具合がある。
【００１０】
そこで、本発明は、このような点に鑑みなされたものであり、受信されたデジタル放送に含まれるコンテンツが付加情報をともなわない場合であっても、そのコンテンツの付加情報を確実に入手することによって入手された付加情報を用いたコンテンツの取得を確実に行うことができるとともに、当該付加情報を入手する際のユーザの操作性を向上させることができるコンテンツ取得装置を提供することを目的とするものである。
【課題を解決するための手段】
【００１１】
前述した目的を達成するため、本発明に係るコンテンツ取得装置は、コンテンツが含まれたデジタル放送を受信する受信手段と、この受信手段によって受信された前記デジタル放送に含まれる前記コンテンツがこのコンテンツに関する所定の付加情報をともなう場合に、前記付加情報を記憶手段に保存する付加情報保存手段と、前記コンテンツの配信サーバに接続可能とされ、前記配信サーバとの接続状態において、前記記憶手段に保存されている前記付加情報に基づいて、この付加情報に対応するコンテンツを前記配信サーバから取得可能とされたコンテンツ取得手段とを備えたコンテンツ取得装置であって、所定の大きさ以上の大きさに形成された表示部と、この表示部に、手入力によって保存される前記付加情報に対応する所定の事項を手入力によって入力可能とされた付加情報保存用入力画面を表示する付加情報保存用入力画面表示手段とを備え、前記付加情報保存手段は、前記付加情報保存用入力画面表示手段によって表示された前記付加情報保存用入力画面に入力された前記事項を前記付加情報として前記記憶手段に保存することを特徴としている。
【００１２】
そして、このような構成によれば、受信手段によって受信されたデジタル放送に含まれるコンテンツが付加情報をともなわない場合であっても、付加情報保存用入力画面表示手段によって十分な大きさの表示部に表示された付加情報保存用入力画面を用いて付加情報に対応する所定の事項を手入力し、手入力された事項を付加情報保存手段によって付加情報として記憶手段に保存することができるので、手入力を円滑に行うことができるとともに、この手入力によって保存された付加情報に対応するコンテンツをコンテンツ取得手段によって配信サーバから確実に取得することができる。
【００１３】
また、前記付加情報保存用入力画面表示手段は、前記受信手段によって受信された前記デジタル放送に含まれる前記コンテンツが前記付加情報をともなわない場合に、前記付加情報保存用入力画面を表示するようにしてもよい。
【００１４】
そして、このような構成によれば、ユーザが付加情報を手入力によって保存することを希望する可能性がある場合にのみ付加情報保存用入力画面を表示することができるので、無用な付加情報保存用入力画面の表示にともなうユーザの混乱を未然に回避することができる。
【００１５】
さらに、デジタル放送受信機と、このデジタル放送受信機に接続可能とされた携帯端末機と、この携帯端末機が接続可能とされた固定端末機とによって形成されてなり、前記受信手段、前記表示部および前記付加情報保存用入力画面表示手段は、前記デジタル放送受信機に配設され、前記記憶手段は、前記携帯端末機に配設され、前記付加情報保存手段は、前記デジタル放送受信機および前記携帯端末機に配設され、前記コンテンツ取得手段は、前記固定端末機に配設されていてもよい。
【００１６】
そして、このような構成によれば、デジタル放送受信機によって受信されたデジタル放送に含まれるコンテンツが付加情報をともなわない場合においても、デジタル放送受信機の表示部に表示された付加情報保存用入力画面に入力された事項を、デジタル放送受信機に接続されている携帯端末機に付加情報として保存し、この付加情報が保存された携帯端末機を固定端末機に接続することにより、固定端末機が、接続された携帯端末機に保存されている付加情報を用いてコンテンツの配信サーバから当該付加情報に対応するコンテンツを取得することができる。
【００１７】
さらにまた、デジタル放送受信機と、このデジタル放送受信機に接続可能とされた携帯端末機とによって形成されてなり、前記受信手段、前記表示部および前記付加情報保存用入力画面表示手段は、前記デジタル放送受信機に配設され、前記記憶手段および前記コンテンツ取得手段は、前記携帯端末機に配設され、前記付加情報保存手段は、前記デジタル放送受信機および前記携帯端末機に配設されていてもよい。
【００１８】
そして、このような構成によれば、デジタル放送受信機によって受信されたデジタル放送に含まれるコンテンツが付加情報をともなわない場合においても、デジタル放送受信機の表示部に表示された付加情報保存用入力画面に入力された事項を、デジタル放送受信機に接続されている携帯端末機に付加情報として保存することにより、この付加情報が保存された携帯端末機が、保存されている付加情報を用いてコンテンツの配信サーバから当該付加情報に対応するコンテンツを取得することができる。
【００１９】
また、前記デジタル放送受信機は、車載器に配設されていてもよい。
【００２０】
そして、このような構成によれば、車載器に配設されたデジタル放送受信機によって受信されたデジタル放送に含まれるコンテンツが付加情報をともなわない場合であっても、付加情報保存用入力画面を用いた手入力によって保存された付加情報に対応するコンテンツを確実に取得することができる。
【００２１】
さらに、前記デジタル放送受信機は、家庭用のデジタル放送受信機であってもよい。
【００２２】
そして、このような構成によれば、家庭用のデジタル放送受信機によって受信されたデジタル放送に含まれるコンテンツが付加情報をともなわない場合であっても、付加情報保存用入力画面を用いた手入力によって保存された付加情報に対応するコンテンツを確実に取得することができる。
【発明の効果】
【００２３】
本発明によれば、受信されたデジタル放送に含まれるコンテンツが付加情報をともなわない場合であっても、そのコンテンツの付加情報を確実に入手することによって入手された付加情報を用いたコンテンツの取得を確実に行うことができるとともに、当該付加情報を入手する際のユーザの操作性を向上させることができる。
【図面の簡単な説明】
【００２４】
【図１】本発明に係るコンテンツ取得装置の第１実施形態を示すブロック図
【図２】本発明に係るコンテンツ取得装置の第１実施形態において、付加情報保存用入力画面を示す模式図
【図３】本発明に係るコンテンツ取得装置の第１実施形態において、車載用デジタルラジオ放送受信機の動作を示すフローチャート
【図４】本発明に係るコンテンツ取得装置の第１実施形態において、携帯型オーディオプレーヤの第１の動作を示すフローチャート
【図５】本発明に係るコンテンツ取得装置の第１実施形態において、携帯型オーディオプレーヤの第２の動作を示すフローチャート
【図６】本発明に係るコンテンツ取得装置の第１実施形態において、コンテンツ取得処理部の動作を示すフローチャート
【図７】本発明に係るコンテンツ取得装置の第２実施形態を示すブロック図
【図８】本発明に係るコンテンツ取得装置の第２実施形態において、携帯型オーディオプレーヤの動作を示すフローチャート
【発明を実施するための形態】
【００２５】
（第１実施形態）
以下、本発明に係るコンテンツ取得装置の第１実施形態について、図１乃至図６を参照して説明する。
【００２６】
図１に示すように、本実施形態におけるコンテンツ取得装置１は、大別して、デジタル放送受信機としての車載用デジタルラジオ放送受信機２と、携帯端末機としての携帯型オーディオプレーヤ３と、固定端末機としてのパソコン４とによって構成されている。
【００２７】
なお、携帯型オーディオプレーヤ３は、有線（ＵＳＢ等）または無線（bluetooth等）によって車載用デジタルラジオ放送受信機２に接続可能とされている。また、携帯型オーディオプレーヤ３は、有線または無線によってパソコン４に接続可能とされている。さらに、車載用デジタルラジオ放送受信機２は、車載用ナビゲーション装置等の車載器に、この車載器と一体をなすように配設されている。
【００２８】
車載用デジタルラジオ放送受信機２についてさらに詳述すると、図１に示すように、車載用デジタルラジオ放送受信機２は、受信手段としての受信部５を有しており、この受信部５は、受信機側入力操作部７を用いたユーザの選局操作にともなったラジオ放送局を選局し、選局されたラジオ放送局からデジタルラジオ放送をアンテナ６を介して受信するようになっている。デジタルラジオ放送は、HD Radio（登録商標）放送であってもよい。また、受信機側入力操作部７は、車載用デジタルラジオ放送受信機２に固定されたボタンスイッチやロータリエンコーダ、リモコンおよび後述する表示部１２のタッチパネル等からなるものであってもよい。
【００２９】
また、図１に示すように、車載用デジタルラジオ放送受信機２は、コンテンツ／付加情報抽出部８を有しており、このコンテンツ／付加情報抽出部８には、受信部５によって受信されたデジタルラジオ放送（受信信号）が入力されるようになっている。そして、コンテンツ／付加情報抽出部８は、入力されたデジタルラジオ放送から、公知の抽出方法によってオーディオコンテンツおよびこのオーディオコンテンツの所定の付加情報を抽出するようになっている。なお、オーディオコンテンツは、デジタルラジオ放送で流される楽曲であってもよい。また、この場合におけるオーディオコンテンツの前記付加情報は、楽曲の曲名、アルバム名またはアーティスト名等の楽曲の付加情報（文字情報）であってもよい。
【００３０】
さらに、図１に示すように、車載用デジタルラジオ放送受信機２は、再生部１０、音声出力部１１および表示部１２を有しており、再生部１０は、コンテンツ／付加情報抽出部８によって抽出されたオーディオコンテンツを音声出力部１１によって音声出力させることによってオーディオコンテンツの再生を行うようになっている。また、再生部１０は、コンテンツ／付加情報抽出部８によって抽出されたオーディオコンテンツが付加情報をともなう場合には、オーディオコンテンツが再生される際に付加情報を表示部１２に表示することによって付加情報を再生するようになっている。なお、表示部１２は、所定の大きさ以上の大きさに形成されている。この表示部１２の大きさは、一般的な車載器の表示部の大きさ（例えば、７インチ以上）であれば十分である。
【００３１】
さらにまた、図１に示すように、車載用デジタルラジオ放送受信機２は、付加情報保存手段の一部を構成する受信機側付加情報送信処理部１４を有しており、この受信機側付加情報送信処理部１４は、デジタルラジオ放送の受信時に、受信機側入力操作部７から付加情報の保存の指令が入力された場合には、コンテンツ／付加情報抽出部８から前記付加情報（以下、自動保存用付加情報と称する）を自動的に取得するようになっている。そして、受信機側付加情報送信処理部１４は、コンテンツ／付加情報抽出部８から前記自動保存用付加情報を取得することができた場合には、携帯型オーディオプレーヤ３との間で、携帯型オーディオプレーヤ３の接続状態の確認および携帯型オーディオプレーヤ３内の付加情報の記録領域の確認等を行った上で、取得された前記自動保存用付加情報を携帯型オーディオプレーヤ３側に送信するようになっている。
【００３２】
次に、携帯型オーディオプレーヤ３について詳述すると、図１に示すように、携帯型オーディオプレーヤ３は、付加情報保存手段の一部を構成する携帯機側付加情報受信処理部１５を有しており、この携帯機側付加情報受信処理部１５は、受信機側付加情報送信処理部１４によって送信された前記自動保存用付加情報を受信するようになっている。
【００３３】
また、図１に示すように携帯型オーディオプレーヤ３は、付加情報保存手段の一部を構成する付加情報記録処理部１６と、記憶手段としての付加情報記憶部１７とを有しており、付加情報記録処理部１６は、携帯機側付加情報受信処理部１５によって受信された前記自動保存用付加情報を付加情報記憶部１７に記録するようになっている。このとき、付加情報記録処理部１６は、前記自動保存用付加情報を所定の形式（例えば、文字列型）の情報として記録するようにしてもよい。
【００３４】
このようにして、受信部５によって受信されたデジタルラジオ放送に含まれるオーディオコンテンツが前記自動保存用付加情報をともなう場合には、この自動保存用付加情報が、受信機側付加情報送信処理部１４、携帯機側付加情報受信処理部１５および付加情報記録処理部１６によって構成される付加情報保存手段によって付加情報記憶部１７に自動的に保存されるようになっている。
【００３５】
さらに、図１に示すように、携帯型オーディオプレーヤ３は、携帯機側付加情報送信処理部１９を有しており、この携帯機側付加情報送信処理部１９は、パソコン４への接続状態において、パソコン４側からの前記付加情報の送信要求にともなって、付加情報記憶部１７に記憶されている前記自動保存用付加情報をパソコン４側に送信するようになっている。
【００３６】
なお、図示はしないが、携帯型オーディオプレーヤ３には、自らに保存されているオーディオコンテンツや付加情報を再生する公知の機能や、オーディオコンテンツ等の情報をパソコン等の情報源から取得するための公知の機能が搭載されている。
【００３７】
次に、パソコン４について詳述すると、図１に示すように、パソコン４は、固定機側付加情報受信処理部２０、固定機側入力操作部２１および記憶部２２を有している。固定機側入力操作部２１は、キーボード、キーパッドまたはマウス等であってもよい。固定機側付加情報受信処理部２０は、携帯型オーディオプレーヤ３の接続状態において、固定機側入力操作部２１からの前記付加情報の受信要求にともなって、携帯機側付加情報送信処理部１９に対して前記付加情報の送信要求を出力するようになっている。そして、固定機側付加情報受信処理部２０は、当該送信要求に応答して携帯機側付加情報送信処理部１９によって送信された前記自動保存用付加情報を受信するようになっている。さらに、固定機側付加情報受信処理部２０は、受信された前記自動保存用付加情報を後述するコンテンツ取得処理部２３が読み出し可能な状態で記憶部２２に記録するようになっている。
【００３８】
また、図１に示すように、パソコン４は、コンテンツ取得手段としてのコンテンツ取得処理部２３および通信部２４を有している。コンテンツ取得処理部２３は、固定機側入力操作部２１によってコンテンツ取得処理部２３に対応する所定のオーディオコンテンツの配信サーバ２５に接続するための入力操作が行われ、かつ、前記自動保存用付加情報に対応するオーディオコンテンツを当該配信サーバ２５から取得するための入力操作が行われた場合には、当該自動保存用付加情報に対応するオーディオコンテンツを通信部２４を介して当該配信サーバ２５から通信によって取得するようになっている。ここで、コンテンツ取得処理部２３は、iTunes（登録商標）等のメディアプレーヤ（コンテンツの再生・管理ソフト）の機能を実行するものであってもよい。この場合に、コンテンツ取得処理部２３は、メディアプレーヤを用いてiTunes Store（登録商標）等のメディアプレーヤに対応する所定のオーディオコンテンツの配信サーバ２５（より具体的には、配信サーバ２５が提供する配信サービス）に接続することになる。そして、コンテンツ取得処理部２３は、接続された配信サーバ２５から、記憶部２２に記憶されている自動保存用付加情報のうちの固定機側入力操作部２１の操作によって選択された前記自動保存用付加情報に対応するオーディオコンテンツを、固定機側入力操作部２１を用いた公知の取得（購入）手続を経た上でダウンロードすることになる。また、この場合に、コンテンツ取得処理部２３は、メディアプレーヤによってオーディオコンテンツを購入するための各種の画面（配信サービスが提供する画面を含む）をパソコン４の図示しない表示部に表示することになる。
【００３９】
このようにして、付加情報保存手段１４，１５，１６によって付加情報記憶部１７に自動的に保存された自動保存用付加情報に対応するオーディオコンテンツを購入することができるようになっている。
【００４０】
そして、本実施形態においては、受信部５によって受信されたデジタルラジオ放送に含まれるオーディオコンテンツが前記自動保存用付加情報をともなわない場合においても、当該オーディオコンテンツをその付加情報に基づいて確実に購入するための手段が講じられている。
【００４１】
すなわち、図１に示すように、車載用デジタルラジオ放送受信機２は、付加情報保存用入力画面表示手段としての付加情報保存用入力画面描画部２６を有しており、この付加情報保存用入力画面描画部２６は、表示部１２に、図２に示すような付加情報保存用入力画面２７を表示するようになっている。
【００４２】
ここで、付加情報保存用入力画面２７は、前記付加情報を手入力によって保存するための入力画面であって、手入力によって保存される前記付加情報（以下、手入力保存用付加情報と称する）に対応する所定の事項（以下、付加情報対応事項と称する）を手入力によって入力可能とされた入力画面である。
【００４３】
図２における付加情報対応事項は、オーディオコンテンツとしての楽曲の曲名、アルバム名およびアーティスト名の各項目に示される事項とされており、これらの付加情報対応事項は、受信機側入力操作部７を用いた手入力によって文字入力することが可能とされている。より具体的には、当該付加情報保存用入力画面２７においては、当該画面２７内に表示されたタッチパネル方式のキーパッド２７ａを用いることにより、付加情報対応事項を手入力によって文字入力することが可能とされている。なお、図２の付加情報保存用入力画面２７は、付加情報保存用入力画面２７内の各項目に対して、付加情報対応事項を指定しない旨（「指定なし」）の入力が可能とされていてもよい。また、この付加情報保存用入力画面２７は、表示部１２の表示領域中に、画面確認および画面操作に適した所定の大きさ以上の大きさ（例えば、表示領域のほぼ全領域にわたる大きさ）で表示されることになる。
【００４４】
さらに、本実施形態において、付加情報保存手段１４，１５，１６は、付加情報保存用入力画面描画部２６によって表示された付加情報保存用入力画面２７に入力された付加情報対応事項に基づいて、当該付加情報対応事項に対応する前記手入力保存用付加情報を付加情報記憶部１７に保存するようになっている。具体的には、まず、受信機側付加情報送信処理部１４が、付加情報保存用入力画面２７に入力された付加情報対応事項を前記手入力保存用付加情報に変換し、この変換によって得られた前記手入力保存用付加情報を携帯機側付加情報受信処理部１５に送信するようになっている。なお、前記手入力保存用付加情報は、前記自動保存用付加情報と同一形式のデータとされている。また、前記手入力保存用付加情報の送信は、前記自動保存用付加情報の場合と同様に、受信機側付加情報送信処理部１４が、携帯機側付加情報受信処理部１５との間で前述した接続確認や付加情報の記憶領域の確認等の処理を経た上で実行するようになっている。次いで、携帯機側付加情報受信処理部１５が、受信機側付加情報送信処理部１４によって送信された前記手入力保存用付加情報を受信するようになっている。次いで、付加情報記録処理部１６が、携帯機側付加情報受信処理部１５によって受信された前記手入力保存用付加情報を、前記自動保存用付加情報と同一形式の付加情報として付加情報記憶部１７に記録するようになっている。なお、前記自動保存用付加情報および前記手入力保存用付加情報のデータの形式については、これらの付加情報に基づいたコンテンツ取得処理部２３によるオーディオコンテンツの取得（購入）を実現することができる形式（例えば、iTunes（登録商標）やiTunes Store（登録商標）において利用することができる形式）であれば、公知のいかなる形式であってもよい。
【００４５】
このようにして、受信部５によって受信されたデジタルラジオ放送に含まれるオーディオコンテンツが前記自動保存用付加情報をともなわない場合においても、当該オーディオコンテンツに対応する前記手入力保存用付加情報を、付加情報保存用入力画面２７を用いた手入力によって保存することができるようになっている。
【００４６】
さらにまた、本実施形態において、携帯機側付加情報送信処理部１９は、固定機側付加情報受信処理部２０からの前記付加情報の送信要求が出力された際に、前記付加情報記憶部１７に前記手入力保存用付加情報が記憶されている場合には、この手入力保存用付加情報を、前記自動保存用付加情報の場合と同様に固定機側付加情報受信処理部２０に送信するようになっている。
【００４７】
また、本実施形態において、固定機側付加情報受信処理部２０は、携帯機側付加情報送信処理部１９によって送信された前記手入力保存用付加情報を受信すると、この受信された前記手入力保存用付加情報を、前記自動保存用付加情報の場合と同様に、記憶部２２に記録するようになっている。
【００４８】
さらに、本実施形態において、コンテンツ取得処理部２３は、記憶部２２に前記手入力保存用付加情報が記憶されている場合には、前記自動保存用付加情報の場合と同様に、当該手入力保存用付加情報が固定機側入力操作部２１の操作によって選択された上で、当該手入力保存用付加情報に対応するオーディオコンテンツを、通信部２４を介して前記配信サービスから取得（ダウンロード）することが可能とされている。
【００４９】
したがって、本実施形態によれば、受信部５によって受信されたデジタルラジオ放送に含まれるオーディオコンテンツが前記自動保存用付加情報をともなわない場合においても、当該オーディオデータを前記手入力保存用付加情報を用いて配信サービスから確実に購入することができる。また、このような前記手入力保存用付加情報の保存の際に、携帯型オーディオプレーヤ３のような小型の機器の表示部よりも大きな表示部１２に表示される付加情報保存用入力画面２７を用いた手入力を行うことができるため、当該手入力を簡便かつ円滑に行うことができる。
【００５０】
上記構成に加えて、さらに、本実施形態において、付加情報保存用入力画面描画部２６は、付加情報有無判定部２８を有している。この付加情報有無判定部２８は、受信部５によってデジタルラジオ放送が受信された際に、この受信されたデジタルラジオ放送に含まれるオーディオコンテンツが前記自動保存用付加情報をともなうか否かの判定（以下、付加情報有無判定と称する）を行うようになっている。この付加情報有無判定は、コンテンツ／付加情報抽出部８の抽出結果に基づいて行われるようになっている。
【００５１】
そして、本実施形態において、付加情報保存用入力画面描画部２６は、前記付加情報有無判定において否定的な判定結果（前記自動保存用付加情報をともなわない旨の判定結果）が得られた場合には、付加情報保存用入力画面２７を表示するようになっている。一方、付加情報保存用入力画面描画部２６は、前記付加情報有無判定において肯定的な判定結果（前記自動保存用付加情報をともなう旨の判定結果）が得られた場合には、前記付加情報保存用入力画面２７を表示しないようになっている。
【００５２】
したがって、本実施形態においては、ユーザが前記付加情報を手入力によって保存することを希望する可能性がある場合にのみ付加情報保存用入力画面２７を表示することができるので、無用な付加情報保存用入力画面２７の表示にともなうユーザの混乱を未然に回避することができる。
【００５３】
なお、付加情報保存用入力画面２７において入力可能とされた付加情報対応事項は、当該付加情報対応事項に対応する前記手入力保存用付加情報に基づいて、コンテンツ取得処理部２３および前記配信サーバ２５がオーディオコンテンツを特定することができる程度の具体的な情報であればよい。オーディオコンテンツが楽曲の場合には、付加情報対応事項として少なくとも曲名およびアーティスト名が特定されていれば、楽曲を特定することができる。また、付加情報対応事項として少なくともアルバム名およびアーティスト名が特定されていれば、アルバムを特定することができる。ただし、この場合には、アルバムに収録されている全楽曲がダウンロードの対象としてパソコン４の表示部（図示せず）に表示される可能性があるので、購入時においては、表示されたアルバムから所望の楽曲のみを選択する操作が許容されるように楽曲購入用の操作画面を構成してもよい。
【００５４】
次に、本実施形態の作用として、コンテンツ取得装置１の動作を、車載用デジタルラジオ放送受信機２、携帯型オーディオプレーヤ３およびパソコン４の個々の動作ごとに順次説明する。
【００５５】
（車載用デジタルラジオ放送受信機の動作）
本実施形態において、車載用デジタルラジオ放送受信機２は、まず、図３のステップａ−１（ＳＴａ−１）に示すように、受信部５により、受信機側入力操作部７からの所定の放送局のデジタルラジオ放送を受信する旨の指示があったか否かを判定し、当該指示があった場合にはステップａ−２（ＳＴａ−２）に進み、当該指示がなかった場合には処理を終了する。
【００５６】
次いで、ステップａ−２（ＳＴａ−２）において、受信部５により、ステップａ−１（ＳＴａ−１）における指示にしたがって選局された放送局から送信されたデジタルラジオ放送を受信する。
【００５７】
次いで、ステップａ−３（ＳＴａ−３）において、コンテンツ／付加情報抽出部８により、ステップａ−２（ＳＴａ−２）において受信されたデジタルラジオ放送から、オーディオコンテンツおよび前記自動保存用付加情報をそれぞれ抽出する。
【００５８】
次いで、ステップａ−４（ＳＴａ−４）において、受信機側付加情報送信処理部１４により、受信機側入力操作部７からの前記付加情報の保存の指示があったか否かを判定し、当該指示があった場合にはステップａ−５（ＳＴａ−５）に進み、当該指示がなかった場合にはステップａ−９（ＳＴａ−９）に進む。
【００５９】
次いで、ステップａ−５（ＳＴａ−５）において、受信機側付加情報送信処理部１４により、車載用デジタルラジオ放送受信機２に携帯型オーディオプレーヤ３が接続されているか否かを判定し、接続されている場合にはステップａ−６（ＳＴａ−６）に進み、接続されていない場合にはステップａ−９（ＳＴａ−９）に進む。
【００６０】
一方、ステップａ−９（ＳＴａ−９）において、再生部１０により、前記付加情報の保存処理をともなわないオーディオコンテンツの再生を行って処理を終了する。
【００６１】
次いで、ステップａ−６（ＳＴａ−６）において、付加情報保存用入力画面描画部２６における付加情報有無判定部２８により、ステップａ−３（ＳＴａ−３）における抽出結果に基づいて付加情報有無判定を行う。そして、この付加情報有無判定において肯定的な判定結果が得られた場合にはステップａ−７（ＳＴａ−７）に進み、否定的な判定結果が得られた場合にはステップａ−１０（ＳＴａ−１０）に進む。
【００６２】
ここで、ステップａ−７（ＳＴａ−７）以後の処理について先に説明すると、まず、ステップａ−７（ＳＴａ−７）において、受信機側付加情報送信処理部１４により、携帯機側付加情報受信処理部１５に対して前記付加情報の受信の指令を出力した上で、前記自動保存用付加情報を携帯機側付加情報受信処理部１５に送信してステップａ−８（ＳＴａ−８）に進む。これにより、携帯型オーディオプレーヤ３側においては、ステップａ−７（ＳＴａ−７）において送信された前記自動保存用付加情報が、付加情報記録処理部１６によって付加情報記憶部１７に記録（保存）されることになる。
【００６３】
次いで、ステップａ−８（ＳＴａ−８）において、再生部１０により、前記自動保存用付加情報の保存をともなうオーディオコンテンツの再生を行って処理を終了する。
【００６４】
次に、ステップａ−１０（ＳＴａ−１０）以後の処理について説明すると、まず、ステップａ−１０（ＳＴａ−１０）において、付加情報保存用入力画面描画部２６により、表示部１２に付加情報保存用入力画面２７を表示してステップａ−１１（ＳＴａ−１１）に進む。
【００６５】
次いで、ステップａ−１１（ＳＴａ−１１）において、受信機側付加情報送信処理部１４により、ステップａ−１０（ＳＴａ−１０）において表示された付加情報保存用入力画面２７を用いた付加情報対応項目の手入力があったか否かを判定し、手入力があった場合には、ステップａ−１２（ＳＴａ−１２）に進み、手入力がなかった場合には、ステップａ−９（ＳＴａ−９）に進む。
【００６６】
次いで、ステップａ−１２（ＳＴａ−１２）において、受信機側付加情報送信処理部１４により、ステップａ−１１（ＳＴａ−１１）において入力された前記付加情報対応項目を前記手入力保存用付加情報に変換するとともに、携帯機側付加情報受信処理部１５に対して前記付加情報の受信の指令を出力した上で、前記手入力保存用付加情報を携帯機側付加情報受信処理部１５に送信してステップａ−１３（ＳＴａ−１３）に進む。これにより、携帯型オーディオプレーヤ３側においては、ステップａ−１２（ＳＴａ−１２）において送信された前記手入力保存用付加情報が、付加情報記録処理部１６によって付加情報記憶部１７に記録（保存）されることになる。
【００６７】
次いで、ステップａ−１３（ＳＴａ−１３）において、再生部１０により、前記手入力保存用付加情報の保存をともなうオーディオコンテンツの再生を行って処理を終了する。
【００６８】
（携帯型オーディオプレーヤの第１の動作）
本実施形態において、携帯型オーディオプレーヤ３は、その第１の動作として、まず、図４のステップｂ−１（ＳＴｂ−１）に示すように、携帯機側付加情報受信処理部１５により、携帯型オーディオプレーヤ３が車載用デジタルラジオ放送受信機２に接続されているか否かを判定し、接続されている場合にはステップｂ−２（ＳＴｂ−２）に進み、接続されていない場合には処理を終了する。
【００６９】
次いで、ステップｂ−２（ＳＴｂ−２）において、携帯機側付加情報受信処理部１５により、受信機側付加情報送信処理部１４から前記付加情報の受信の指令が入力されたか否かを判定し、入力された場合にはステップｂ−３（ＳＴｂ−３）に進み、入力されなかった場合には処理を終了する。
【００７０】
次いで、ステップｂ−３（ＳＴｂ−３）において、携帯機側付加情報受信処理部１５により、受信機側付加情報送信処理部１４から送信された前記付加情報を受信する。なお、このとき受信される前記付加情報は、前記自動保存用付加情報の場合もあるし、また、前記手入力保存用付加情報の場合もある。
【００７１】
次いで、ステップｂ−４（ＳＴｂ−４）において、付加情報記録処理部１６により、ステップｂ−３（ＳＴｂ−３）において受信された前記付加情報を付加情報記憶部１７に記録して処理を終了する。
【００７２】
（携帯型オーディオプレーヤの第２の動作）
次に、携帯型オーディオプレーヤ３は、その第２の動作として、まず、図５のステップｂ−１１（ＳＴｂ−１１）において、携帯機側付加情報送信処理部１９により、携帯型オーディオプレーヤ３がパソコン４に接続されているか否かを判定し、接続されている場合にはステップｂ−１２（ＳＴｂ−１２）に進み、接続されていない場合には処理を終了する。
【００７３】
次いで、ステップｂ−１２（ＳＴｂ−１２）において、携帯機側付加情報送信処理部１９により、固定機側付加情報受信処理部２０から前記付加情報の送信要求が入力されたか否かを判定し、入力された場合にはステップｂ−１３（ＳＴｂ−１３）に進み、入力されなかった場合には処理を終了する。
【００７４】
次いで、ステップｂ−１３（ＳＴｂ−１３）において、携帯機側付加情報送信処理部１９により、付加情報記憶部１７に前記付加情報が記憶されているか否かを判定し、記憶されている場合にはステップｂ−１４（ＳＴｂ−１４）に進み、記憶されていない場合には処理を終了する。
【００７５】
次いで、ステップｂ−１４（ＳＴｂ−１４）において、携帯機側付加情報送信処理部１９により、付加情報記憶部１７に記憶されている前記付加情報を固定機側付加情報受信処理部２０に送信して処理を終了する。なお、このとき送信される前記付加情報は、前記自動保存用付加情報および前記手入力保存用付加情報の少なくとも一方である。
【００７６】
（パソコンの動作）
本実施形態において、パソコン４は、まず、図６のステップｃ−１（ＳＴｃ−１）に示すように、固定機側付加情報受信処理部２０により、パソコン４に携帯型オーディオプレーヤ３が接続されているか否かを判定し、接続されている場合にはステップｃ−２（ＳＴｃ−２）に進み、接続されていない場合には処理を終了する。
【００７７】
次いで、ステップｃ−２（ＳＴｃ−２）において、固定機側付加情報受信処理部２０により、固定機側入力操作部２１から前記付加情報の受信要求が入力されたか否かを判定し、入力された場合にはステップｃ−３（ＳＴｃ−３）に進み、入力されなかった場合には処理を終了する。
【００７８】
次いで、ステップｃ−３（ＳＴｃ−３）において、固定機側付加情報受信処理部２０により、携帯機側付加情報送信処理部１９に対して前記付加情報の送信要求を出力する。
【００７９】
次いで、ステップｃ−４（ＳＴｃ−４）において、固定機側付加情報受信処理部２０により、ステップｃ−３（ＳＴｃ−３）における送信要求に応答して携帯機側付加情報送信処理部１９から送信された前記付加情報を受信する。なお、このとき受信される前記付加情報は、前記自動保存用付加情報および前記手入力保存用付加情報の少なくとも一方である。
【００８０】
次いで、ステップｃ−５（ＳＴｃ−５）において、固定機側付加情報受信処理部２０により、前記付加情報が受信されたか否かを判定し、受信された場合にはステップｃ−６（ＳＴｃ−６）に進み、受信されなかった場合には処理を終了する。
【００８１】
次いで、ステップｃ−６（ＳＴｃ−６）において、固定機側付加情報受信処理部２０により、ステップｃ−４（ＳＴｃ−４）において受信された前記付加情報を記憶部２２に記録する。
【００８２】
次いで、ステップｃ−７（ＳＴｃ−７）において、コンテンツ取得処理部２３により、固定機側入力操作部２１によってコンテンツ取得処理部２３に対応する所定のオーディオコンテンツの配信サーバ２５に接続するための入力操作（例えば、メディアプレーヤを立ち上げる操作）が行われたか否かを判定する。そして、このステップｃ−７（ＳＴｃ−７）において肯定的な判定結果が得られた場合にはステップｃ−８（ＳＴｃ−８）に進み、否定的な判定結果が得られた場合には処理を終了する。
【００８３】
次いで、ステップｃ−８（ＳＴｃ−８）において、コンテンツ取得処理部２３により、前記所定のオーディオコンテンツの配信サーバ２５に通信部２４を介して接続する。
【００８４】
次いで、ステップｃ−９（ＳＴｃ−９）において、コンテンツ取得処理部２３により、固定機側入力操作部２１によってステップｃ−６（ＳＴｃ−６）において記録された前記付加情報のいずれかに対応するオーディオコンテンツの購入のための入力操作が行われたか否かを判定し、当該入力操作が行われた場合にはステップｃ−１０（ＳＴｃ−１０）に進み、当該入力操作が行われなかった場合には処理を終了する。
【００８５】
次いで、ステップｃ−１０（ＳＴｃ−１０）において、コンテンツ取得処理部２３により、ステップｃ−９（ＳＴｃ−９）における入力操作に対応するオーディオコンテンツを、通信部２４を介して前記配信サーバ２５から取得（すなわち、ダウンロード）して処理を終了する。
【００８６】
（第２実施形態）
次に、本発明に係るコンテンツ取得装置の第２実施形態について、第１実施形態との差異を中心に、図７および図８を参照して説明する。
【００８７】
なお、第１実施形態と基本的構成が同一もしくはこれに類する箇所については、同一の符号を用いて説明する。
【００８８】
図７に示すように、本実施形態におけるコンテンツ取得装置３０は、大別して、車載用デジタルラジオ放送受信機２と、携帯型オーディオプレーヤ３１とによって構成されており、第１実施形態に比べてコンテンツ取得装置３０を構成する機器の個数が少なくなっている。
【００８９】
なお、本実施形態における車載用デジタルラジオ放送受信機２は、第１実施形態における車載用デジタルラジオ放送受信機２と同一構成であるため詳細な説明は省略する。
【００９０】
一方、携帯型オーディオプレーヤ３１は、第１実施形態における携帯型オーディオプレーヤ３と同様に前記自動保存用付加情報および前記手入力保存用付加情報を保存する機能を備えている上に、さらに、保存された前記自動保存用付加情報または前記手入力保存用付加情報に対応するオーディオコンテンツを、当該オーディオデコンテンツの配信サーバ２５から取得する機能をも備えている。
【００９１】
具体的には、図７に示すように、携帯型オーディオプレーヤ３１は、第１実施形態と同様の携帯機側付加情報受信処理部１５、付加情報記録処理部１６および付加情報記憶部１７を有している。これら携帯機側付加情報受信処理部１５および付加情報記録処理部１６は、第１実施形態と同様に受信機側付加情報送信処理部１４とともに付加情報保存手段を構成し、前記付加情報を付加情報記憶部１７に保存するようになっている。これら携帯機側付加情報受信処理部１５、付加情報記録処理部１６および付加情報記憶部１７についても、第１実施形態と同一構成であるため詳細な説明は省略する。
【００９２】
さらに、図７に示すように、携帯型オーディオプレーヤ３１は、携帯機側入力操作部３３、コンテンツ取得処理部３４および通信部３５を有している。
【００９３】
コンテンツ取得処理部３４は、携帯機側入力操作部３３により、コンテンツ取得処理部３４に対応する所定のオーディオコンテンツの配信サーバ２５に接続するための入力操作と、付加情報記憶部１７に記憶（保存）されている前記付加情報に対応するオーディオコンテンツを当該配信サーバ２５から購入するための入力操作とが行われた場合には、当該付加情報に対応するオーディオコンテンツを通信部３５を介して当該配信サーバ２５から通信によって取得するようになっている。ここで、コンテンツ取得処理部３４は、第１実施形態におけるコンテンツ取得処理部２３と同様に、iTunes（登録商標）等のメディアプレーヤ（コンテンツの再生・管理ソフト）の機能を実行するものであってもよい。また、本実施形態において、付加情報記憶部１７に記憶されている前記付加情報は、前記自動保存用付加情報および前記手入力保存用付加情報の少なくとも一方である。
【００９４】
したがって、本実施形態においては、第１実施形態と同様に、受信部５によって受信されたデジタルラジオ放送に含まれるオーディオコンテンツが前記自動保存用付加情報をともなわない場合においても、当該オーディオデータを前記手入力保存用付加情報を用いて配信サービスから確実に購入することができる。また、車載用デジタルラジオ放送受信機２の表示部１２に表示された付加情報保存用入力画面２７を用いて前記手入力保存用付加情報の保存のための手入力を行うことができるため、当該手入力を簡便かつ円滑に行うことができる。
【００９５】
次に、本実施形態の作用として、コンテンツ取得装置３０の動作を説明する。ただし、本実施形態において、車載用デジタルラジオ放送受信機２の動作は、図３に示したものと同様であるため説明を省略する。また、本実施形態において、携帯型オーディオプレーヤ３１の前記付加情報の保存時における動作は、図４に示したものと同様であるため説明を省略する。
【００９６】
したがって、以下の説明においては、本実施形態に特有の動作として、携帯型オーディオプレーヤ３１のオーディオコンテンツ取得時における動作を図８を参照して説明する。
【００９７】
（携帯型オーディオプレーヤの動作）
すなわち、本実施形態においては、まず、ステップｄ−１（ＳＴｄ−１）において、コンテンツ取得処理部３４により、携帯機側入力操作部３３によってコンテンツ取得処理部３４に対応する所定のオーディオコンテンツの配信サーバ２５に接続するための入力操作（例えば、メディアプレーヤを立ち上げる操作）が行われたか否かを判定する。そして、このステップｄ−１（ＳＴｄ−１）において肯定的な判定結果が得られた場合にはステップｄ−２（ＳＴｄ−２）に進み、否定的な判定結果が得られた場合には処理を終了する。
【００９８】
次いで、ステップｄ−２（ＳＴｄ−２）において、コンテンツ取得処理部３４により、前記所定のオーディオコンテンツの配信サーバ２５に通信部３５を介して接続する。
【００９９】
次いで、ステップｄ−３（ＳＴｄ−３）において、コンテンツ取得処理部３４により、付加情報記憶部１７に前記付加情報（前記自動保存用付加情報または前記手入力保存用付加情報）が記憶されているか否かを判定し、記憶されている場合にはステップｄ−４（ＳＴｄ−４）に進み、記憶されていない場合には処理を終了する。
【０１００】
ステップｄ−４（ＳＴｄ−４）において、コンテンツ取得処理部３４により、携帯機側入力操作部３３によって付加情報記憶部１７に記憶されている前記付加情報のいずれかに対応するオーディオコンテンツの購入のための入力操作が行われたか否かを判定し、当該入力操作が行われた場合にはステップｄ−５（ＳＴｄ−５）に進み、当該入力操作が行われなかった場合には処理を終了する。
【０１０１】
次いで、ステップｄ−５（ＳＴｄ−５）において、コンテンツ取得処理部３４により、ステップｄ−４（ＳＴｄ−４）における入力操作に対応するオーディオコンテンツを、通信部３５を介して前記配信サーバ２５から取得（ダウンロード）して処理を終了する。
【０１０２】
以上述べたように、本発明によれば、受信部５によって受信されたデジタル放送に含まれるオーディオコンテンツが前記自動保存用付加情報をともなわない場合であっても、画面確認および画面操作が容易な十分な大きさの表示部１２に表示された付加情報保存用入力画面２７を用いた手入力によって当該オーディオコンテンツに対応する前記手入力保存用付加情報を保存することができるので、円滑な手入力によって保存された前記手入力保存用付加情報に対応するオーディオコンテンツを配信サーバから確実に取得することができる。
【０１０３】
なお、本発明は、このような構成に限定されるものではなく、必要に応じて種々変更することが可能である。
【０１０４】
例えば、前述した実施形態においては、デジタルラジオ放送受信機として、車載用デジタルラジオ放送受信機２を採用していたが、本発明は、第１の変形例として、図１と同様の構成を備えた家庭用のデジタルラジオ放送受信機にも有効に適用することができる。
【０１０５】
また、第２の変形例として、本発明は、オーディオコンテンツだけではなく、ビデオコンテンツ（動画等）の取得にも有効に適用することができるものである。
【０１０６】
第２の変形例においては、コンテンツ取得装置を、デジタル放送受信機としてのデジタルテレビ放送受信機（車載器に搭載されたものであってもよい）と、携帯端末機としての携帯型ビデオプレーヤ（iPod（登録商標）やiPhone（登録商標）等のオーディオコンテンツの再生も可能な機器を含む）と、固定端末機としてのパソコンとによって構成する。ただし、デジタルテレビ放送受信機と携帯型ビデオプレーヤとは有線または無線を介して互いに接続可能とされたものである。また、携帯型ビデオプレーヤとパソコンとは有線または無線を介して互いに接続可能とされたものである。
【０１０７】
また、第２の変形例においては、デジタルテレビ放送受信機が、所定の大きさ以上の大きさに形成された表示部を備えるように構成する。ただし、この表示部は、一般的な車載器の表示部あるいは家庭用のテレビの表示部の大きさに形成されていれば十分である。さらに、第２の変形例においては、デジタルテレビ放送受信機が、デジタルテレビ放送を受信する受信手段を備えるように構成する。ただし、この受信手段は、公知のデジタルテレビチューナであればよい。さらにまた、第２の変形例においては、デジタルテレビ放送受信機が、受信手段によって受信されたデジタルテレビ放送に含まれるビデオコンテンツがこのビデオコンテンツに関する所定の付加情報（以下、自動保存用ビデオ付加情報と称する）をともなう場合に、当該自動保存用ビデオ付加情報を記憶手段に保存する付加情報保存手段を備えるように構成する。この付加情報保存手段としては、図１および図７に示した車載用デジタルラジオ放送受信機２における受信機側付加情報送信処理部１４と同様の構成であって、その送信対象を自動保存用ビデオ付加情報としたものを用いればよい。なお、ビデオコンテンツの付加情報としては、ビデオコンテンツとしてのビデオクリップの題名やアーティスト名等を挙げることができる。また、第２の変形例においては、デジタルテレビ放送受信機が、その表示部に、ビデオコンテンツの付加情報を手入力によって保存するための入力画面として、前記手入力によって保存される付加情報（以下、手入力保存用ビデオ付加情報と称する）に対応する所定の事項を入力可能とされた付加情報保存用入力画面を表示する付加情報保存用入力画面表示手段を備えるように構成する。ただし、この付加情報保存用入力画面表示手段としては、図１および図７に示した車載用デジタルラジオ放送受信機２における付加情報保存用入力画面描画部２６と同様の構成を用いればよい。また、付加情報保存用入力画面としては、図２に示した付加情報保存用入力画面２７と同様の画面であって、付加情報対応項目がビデオコンテンツの付加情報に対応するような内容の画面を採用すればよい。さらに、第２の変形例においては、デジタルテレビ放送受信機に配設された付加情報保存手段が、前記付加情報保存用入力画面表示手段によって表示された前記付加情報保存用入力画面に入力された付加情報対応事項を、前記手入力保存用ビデオ付加情報として携帯型ビデオプレーヤに送信するように構成する。
【０１０８】
さらに、第２の変形例においては、携帯型ビデオプレーヤが、デジタルテレビ放送受信機とともに前記付加情報保存手段を備えるように構成する。ただし、この付加情報保存手段としては、図１および図７に示した車載用デジタルラジオ放送受信機２における携帯機側付加情報受信処理部１５および付加情報記録処理部１６と同様の構成であって、記憶手段への保存対象を前記自動保存用ビデオ付加情報および前記手入力保存用ビデオ付加情報としたものを用いればよい。
【０１０９】
さらにまた、第２の変形例においては、パソコンが、ビデオコンテンツの配信サーバに接続可能とされ、当該配信サーバとの接続状態において、携帯型ビデオプレーヤの記憶手段に保存されている前記付加情報（前記自動保存用ビデオ付加情報および前記手入力保存用ビデオ付加情報の少なくとも一方）に基づいて、この付加情報に対応するビデオコンテンツを前記配信サーバから取得可能とされたコンテンツ取得手段を備えるように構成する。このコンテンツ取得手段としては、図１に示したパソコン４におけるコンテンツ取得処理部２３と同様の構成であって、その取得対象をビデオコンテンツとしたものを適用すればよい。なお、このコンテンツ取得手段は、iTunes（登録商標）等のメディアプレーヤを介してiTunes Store（登録商標）等の音楽配信サイト（サーバ）に接続してビデオコンテンツを取得可能とされたものであってもよい。
【０１１０】
これ以外にも、第３の変形例として、コンテンツ取得装置を、第２の変形例と同一構成のデジタルテレビ放送受信機と、このデジタルテレビ放送受信機に有線または無線を介して接続可能とされた携帯型ビデオプレーヤ（iPhone（登録商標）等）とによって構成してもよい。
【０１１１】
ただし、第３の変形例における携帯型ビデオプレーヤは、第２の変形例における携帯型ビデオプレーヤのように付加情報保存用手段を備えるだけでなく、コンテンツ取得手段をも備えるようにする。この第３の変形例における携帯型ビデオプレーヤとしては、図７に示した携帯型オーディオプレーヤ３１における各構成部を、オーディオコンテンツの替わりにビデオコンテンツを扱うものと仮定し、前記自動保存用付加情報の替わりに前記自動保存用ビデオ付加情報を扱うものと仮定し、前記手入力保存用付加情報の替わりに前記手入力保存用ビデオ付加情報を扱うものと仮定した装置を採用すればよい。
【０１１２】
このような第２の変形例または第３の変形例によれば、受信されたデジタルテレビ放送に含まれるビデオコンテンツが前記自動保存用ビデオ付加情報をともなわない場合であっても、十分な大きさの表示部に表示された付加情報保存用入力画面を用いた手入力によって当該ビデオコンテンツに対応する前記手入力保存用ビデオ付加情報を保存することができるので、円滑な手入力によって保存された前記手入力保存用ビデオ付加情報に対応するビデオコンテンツを配信サーバから確実に取得することができる。
【０１１３】
さらに、第４の変形例としては、図示はしないが、付加情報保存手段におけるすべての構成を、受信手段、記憶手段、表示部および付加情報保存用入力画面表示手段ととともにデジタル放送受信機内に備えるようにしてもよい。この第４の実施例においては、デジタル放送受信機によって、記憶手段に記憶されている付加情報をコンテンツ取得手段を備えた固定端末機または携帯端末機に送信し、この送信された付加情報に基づいて、当該コンテンツ取得手段がコンテンツの配信サーバから付加情報に対応するコンテンツを取得可能に構成すればよい。
【符号の説明】
【０１１４】
１  コンテンツ取得装置
２  車載用デジタルラジオ放送受信機
３  携帯型オーディオプレーヤ
４  パソコン
５  受信部
１２  表示部
１４  受信機側付加情報送信処理部
１５  携帯機側付加情報受信処理部
１６  付加情報記録処理部
１７  付加情報記憶部
２３  コンテンツ取得処理部
２５  配信サーバ
【図１】
2010252230.tif 000003
【図２】
2010252230.tif 000004
【図３】
2010252230.tif 000005
【図４】
2010252230.tif 000006
【図５】
2010252230.tif 000007
【図６】
2010252230.tif 000008
【図７】
2010252230.tif 000009
【図８】
2010252230.tif 000010